(57)【要約】      （修正有）【課題】ステーションワゴンやミニバン型の自動車の荷室に積んだ小物類を容易に取ることができ、かつ荷室のスペースの有効活用ができる自動車用収納具を提供する。【解決手段】四角形の布からなるベース生地と、ベース生地の上端辺に備えた自動車の座席のヘッドレストステー６ｂへの取付具３ａ、３ｂと、上端辺の逆側の下端辺に備えた自動車の座席のヘッドレストステー６ｂへの取付フック部４ａとから構成した。【選択図】図２
2013043627.tif 000002
【特許請求の範囲】
【請求項１】
四角形の布からなるベース生地と、該ベース生地の上端辺に備えた自動車の座席のヘッドレストステーへの取付具と、該上端辺の逆側の下端辺に備えた自動車の座席のヘッドレストステーへの取付フック部とから構成したことを特徴とする自動車用収納具。
【請求項２】
四角形の布からなるベース生地と、該ベース生地の上端辺に備えた自動車の座席のヘッドレストステーへの取付具と、該上端辺の逆側の下端辺に備えた自動車の座席のヘッドレストステーへの取付フック部とからなり、該ベース生地の左右の側端辺にサイド生地を備えたことを特徴とする請求項１に記載の自動車用収納具。
【請求項３】
四角形の布からなるベース生地と、該ベース生地の上端辺に備えた自動車の座席のヘッドレストステーへの取付具と、該上端辺の逆側の下端辺に備えた自動車の座席のヘッドレストステーへの取付フック部とからなり、該上端辺と該下端辺に芯材を備えたことを特徴とする請求項１または請求項２に記載の自動車用収納具。
【発明の詳細な説明】
【技術分野】
【０００１】  本発明は、自動車の荷室で小物類を整理収納するための収納具に関し、特にステーションワゴンやミニバン型の自動車の荷室を有効活用するための自動車用収納具に関する。
【背景技術】
【０００２】  従来、自動車のトランクルームなどの荷室において、小物類や荷物を整理する収納具が多々提案されている。このような収納具は、上部を開放した箱状で形成されており、セダン型自動車であればトランクルーム、ステーションワゴンやミニバン型自動車であれば荷室の床面に置いて使用される。例えば、実開昭６３−１８０４４３号公報（特許文献１）に開示された「自動車のトランクルーム用収納ユニット」は、自動車のトランクルーム内に間仕切り用として使用され、所定の長さと高さを保有する仕切り部材と、この仕切り部材に対して係脱可能な係止部を備えた小物収納箱との組み合わせからなるものである。また、不使用時や大きな荷物を運ぶ際には折り畳んでコンパクトにできるように布地に芯材を入れたタイプの箱状の折り畳み型収納具が数多く市販されている。
【先行技術文献】
【特許文献】
【０００３】
【特許文献１】  実開昭６３−１８０４４３号公報
【発明の開示】
【発明が解決しようとする課題】
【０００４】  ところで、ステーションワゴンやミニバン型自動車では、後部座席と荷室が同一空間で通じているために、後部座席の搭乗者が荷室に収納した小物類を取ったり、元に戻したりといったことをしばしば行う。ところが荷室の床面に置かれた小物を取るには後部座席から手を伸ばすだけでは事足りず、後部座席から荷室に身体を乗り出す必要があり、駐車中であればよいが走行中は甚だ危険である。また、従来例の収納具も床面に置かれるため収納した小物類も床面に近い位置に置かれることになり、同様な課題があるとともに、収納具の上部に荷物を置いてしまうとますます収納具内の小物類が取りづらくなるといった課題もあった。【０００５】  そこで本発明は、これらの課題を解決するとともに、ステーションワゴンやミニバン型の自動車の荷室に積んだ小物類を容易に取ることができ、かつ荷室のスペースの有効活用ができる自動車用収納具を提供することを目的とする。
【課題を解決するための手段】
【０００６】  四角形の布からなるベース生地と、該ベース生地の上端辺に備えた自動車の座席のヘッドレストステーへの取付具と、該上端辺の逆側の下端辺に備えた自動車の座席のヘッドレストステーへの取付フック部とから構成したことで解決される。【０００７】  四角形の布からなるベース生地と、該ベース生地の上端辺に備えた自動車の座席のヘッドレストステーへの取付具と、該上端辺の逆側の下端辺に備えた自動車の座席のヘッドレストステーへの取付フック部とからなり、該ベース生地の左右の側端辺にサイド生地を備えたことで解決される。【０００８】  四角形の布からなるベース生地と、該ベース生地の上端辺に備えた自動車の座席のヘッドレストステーへの取付具と、該上端辺の逆側の下端辺に備えた自動車の座席のヘッドレストステーへの取付フック部とからなり、該上端辺と該下端辺に芯材を備えたことで解決される。
【発明の効果】
【０００９】  四角形の布からなるベース生地と、該ベース生地の上端辺に備えた自動車の座席のヘッドレストステーへの取付具と、該上端辺の逆側の下端辺に備えた自動車の座席のヘッドレストステーへの取付フック部とから収納具を構成したので、ステーションワゴンやミニバン型自動車の後部座席の後側に装着した際、収納具は、後部座席の搭乗者の手が容易に届く高さ位置にあるので、必要とする小物類を直ぐに取ることができる。また、収納具は後部座席のヘッドレストの取付部分に位置するので、収納具の下の部分のスペースを有効に使用することができ、使い勝手に優れた自動車用収納具を実現した。【００１０】  また、四角形の布からなるベース生地と、該ベース生地の上端辺に備えた自動車の座席のヘッドレストステーへの取付具と、該上端辺の逆側の下端辺に備えた自動車の座席のヘッドレストステーへの取付フック部とからなり、該ベース生地の左右の側端辺にサイド生地を備えた収納具としたので、収納した小物類がサイドから落下することを防止して、使い勝手に優れた自動車用収納具を実現した。【００１１】  さらに、四角形の布からなるベース生地と、該ベース生地の上端辺に備えた自動車の座席のヘッドレストステーへの取付具と、該上端辺の逆側の下端辺に備えた自動車の座席のヘッドレストステーへの取付フック部とからなり、該上端辺と該下端辺に芯材を備えた収納具としたので、上端辺と下端辺の形状を直線に保つことができ、例えば傘などの長尺物を収納する際、下端辺の一部を持って開くだけで下端辺の全体が開くので傘の先端が引っ掛かるってしまうといったことがなく、楽に収納することができ使い勝手が向上した。
【図面の簡単な説明】
【００１２】
【図１】本発明の自動車用収納具の展開図である。
【図２】本体の自動車座席への装着状態を示す図である。
【発明を実施するための形態】
【実施例１】
【００１３】  本発明の自動車用棒状物品ホルダの実施例について、図面を参照し詳細に説明する。
図１は、本発明の自動車用収納具の展開図、図２は、本体の自動車座席への装着状態を示す図である。【００１４】  自動車用収納具の本体（１）は、布生地からなる四角形状のベース生地（２）と、自動車の後部座席（６）のヘッドレストステー（６ｂ）への取付具（３）と、自動車の後部座席（６）のヘッドレストステーへの取付フック部（４）とから構成される。【００１５】  四角形状のベース生地（２）は、上端辺（２ａ）、下端辺（２ｂ）、側端辺（２ｃ）からなり、小物類（７）を安定して収納するに足りる強度をもつ厚みと強度を持つナイロンやポリエステルなどの布生地で構成される。【００１６】  取付具（３）は、取付ベルト（３ａ）とアジャスタ（３ｂ）とからなり、ベース生地（２）の上端辺（２ａ）に、自動車の後部座席（６）の左右一対のヘッドレスト（６ａ）に相応して左右一対備える。そして本体（１）は、図２に表されるようにヘッドレストステー（６ｂ）に取付ベルト（３ａ）を巻き付けた後アジャスタ（３ｂ）に通して締め込んで後部座席（６）に装着する。【００１７】  取付フック部（４）は、フック（４ａ）、調整ベルト（４ｂ）、アジャスタ（４ｃ）とからなり、ベース生地（２）の下端辺（２ｂ）に、自動車の後部座席（６）の左右一対のヘッドレスト（６ａ）に相応して左右一対備える。前述したようにして後部座席（６）に本体（１）を装着した後、フック（４ａ）を図２に表されるようにヘッドレストステー（６ｂ）に引っ掛けると、ベース生地（２）は側面視Ｕ字型の袋を形成し収納具として機能する。また、収納する小物類（７）のサイズによってアジャスタ（４ｃ）に通された調整ベルトを締め込むことで容易かつ確実に収納することができる。【００１８】  このように構成されて後部座席（６）に装着された本体（１）は、後部座席の搭乗者の手が容易に届く高さ位置にあるので、小物類の出し入れを容易に行うことができる。また、収納具は後部座席（６）のヘッドレスト（６ａ）の取付部分に位置するので、本体（１）の下方部分のスペースを犠牲にすることなく有効に使用することができ、使い勝手に優れた自動車用収納具を実現した。
【実施例２】
【００１９】  実施例２の説明をする。実施例２においては、該ベース生地（２）の左右の側端辺（２ｃ）にサイド生地（２ｄ）を備えて構成した。サイド生地（２ｄ）は、図２に表されるように収納具としての体をなしたときに、側面視Ｕ字型のとなる側端辺（２ｃ）を閉鎖して収納した小物類の落下を防止するものである。サイド生地（２ｄ）は、側端辺（２ｃ）に対して予め縫製して備えてもよいし、ホックや面ファスナーを用いて着脱可能に備えてもよい。また、図２に表されるように側端辺（２ｃ）を部分的に閉鎖してもよいし全面を閉鎖してもよい。
【実施例３】
【００２０】  実施例３の説明をする。実施例３においては、該上端辺（２ａ）と該下端辺（２ｂ）に芯材を備えて構成した。これによって上端辺（２ａ）と下端辺（２ｂ）の形状を直線に保つことができる。図２に表されるように収納具としての体をなしたときに、例えば小物類（７）が傘などの長尺物である場合、下端辺（２ｂ）の一部を持って開くだけで下端辺（２ｂ）全体が開くので傘の先端が引っ掛かって収納し損なうといったことを防止して、極めて容易に収納することができ使い勝手を向上させた。
【符号の説明】
【００２１】１          本体
２          ベース生地
２ａ        上端辺
２ｂ        下端辺
２ｃ        側端辺
２ｄ        サイド生地
３          取付具
３ａ        取付ベルト
３ｂ        アジャスタ
４          取付フック部
４ａ        フック
４ｂ        調整ベルト
４ｃ        アジャスタ
５          芯材
６          座席
６ａ        ヘッドレスト
６ｂ        ヘッドレストステー
７          小物類
【図１】
2013043627.tif 000003
【図２】
2013043627.tif 000004